(57)【要約】【課題】プリンタ装置を支持する支持装置に切り欠き部を設けることにより、支持装置を装着した状態での安全なプリンタ装置の使用及び展示を可能とする。【解決手段】携帯用小型プリンタ装置１に装着することにより装置を支持する支持装置５１の枠体５１の側板５５Ｃに第１切り欠き部５５Ｅを形成するとともに、底板５５Ｂに第２切り欠き部５５Ｇを形成することによって、支持装置５１を装着した際に、第１切り欠き部５５Ｅによって形成された第１切り欠き面５５Ｆと繋止孔５４の間と、第２切り欠き面５５Ｇによって形成された第２切り欠き面５５Ｈと空気孔５３との間にそれぞれ間隙が形成されるように構成する。【選択図】  図１７
2005028596.tif 000002
【特許請求の範囲】
【請求項１】
プリンタ装置を支持するための支持手段を備えた支持装置を有するプリンタ装置において、
前記支持装置は、
前記プリンタ装置を着脱自在に支持するとともに、角部に第１切り欠き部を備えた枠体と、
前記プリンタ装置は角部に紐状部材を取り付けるための繋止部を備え、
前記プリンタ装置の前記支持装置への装着時に、前記紐状部材が前記第１切り欠き部の切り欠き面との間に形成された間隙に配置されることを特徴とするプリンタ装置。
【請求項２】
前記枠体は前記プリンタ装置に当接する面に係合片を備え、
前記プリンタ装置は側部に前記係合片に挿嵌することにより前記支持装置に支持される係合溝を備え、
前記係合溝と同一直線状に前記繋止部が設けられることを特徴とする請求項１に記載のプリンタ装置。
【請求項３】
前記枠体は、前記第１切り欠き部に隣接する位置に第２切り欠き部を備え、
前記プリンタ装置は前記係合溝と同一直線状に複数の空気孔を備え、
前記空気孔が前記支持装置の装着時に、前記第２切り欠き部の切り欠き面との間に間隙をもって対向することを特徴とする請求項１又は請求項２に記載のプリンタ装置。
【請求項４】
前記支持装置は、枠体の外面に装置され、プリンタ装置を立てた状態で支持するスタンド体を有することを特徴とする請求項１乃至請求項３のいずれかに記載のプリンタ装置。
【発明の詳細な説明】
【０００１】
【発明の属する技術分野】
本発明は、プリンタ装置を支持するための支持装置を備えたプリンタ装置に関し、特にプリンタ装置に盗難防止用等のための紐状部材を付属させた状態での支持装置の装着が容易となり、且つ、支持装置を装着し設置した状態においてプリンタ装置の安全な使用及び展示を可能とするプリンタ装置に関するものである。
【０００２】
【従来の技術】
従来より、携帯用の小型プリンタ装置をノート型パソコン等に接続して使用する際に、場所を取らず、且つノート型パソコン等を操作するユーザーが、プリンタ装置の作動状況や出力される用紙の状況を観察できるような支持装置を備えたプリンタ装置が提案されている。このようなプリンタ装置の支持機構として、特開２００２−６７４３１号公報には、ハウジングの両側面の下方にフックを設け、このフックに形成された爪によってプリンタをディスプレイパネルに掛けて使用することができ、且つ、フックを回転させればプリンタを自立させた状態で使用することができるプリンタが記載されている。
【０００３】
【特許文献１】
特開２００２−６７４３１号公報（第３−４頁、第４−５図）
【０００４】
【発明が解決しようとする課題】
しかしながら、従来の支持機構と一体型のプリンタ装置においては、フック等をプリンタ本体部に直接取り付けるため、プリンタ装置の見栄えが悪くなる。また、不使用時においては、フック等を取り付けた分、プリンタ装置の重量が増加し、携帯性を損なう結果となっていた。
一方、支持手段を備えた支持装置とプリンタ装置をそれぞれ分離できるようにした場合には、盗難防止用等の為の紐状部材をプリンタ装置に取り付けた状態において、分離していた支持装置をプリンタ装置に装着をする際に、紐状部材によって支持装置が装着し難くなる問題があった。また、紐状部材を付属した状態で支持装置を装着した場合においては、紐状部材が支持装置と接触した状態で支持装置がプリンタ装置に装着されるために、プリンタ装置を安定して支持することができず、また紐状部材を自由に動かすことができなかった。
本発明は、前記従来における問題点を解消するためになされたものであり、支持手段を備えた支持装置とプリンタ装置を分離できるプリンタ装置で、且つ、盗難防止用等の紐状部材をプリンタ装置に取り付けた状態でも、支持装置の装着が容易となり、更に、紐状部材を取り付けた状態で支持装置を装着した場合にも紐状部材と支持装置が互いに干渉しないので、支持装置を装着した状態での安全なプリンタ装置の使用及び展示を可能とするプリンタ装置を提供することを目的とする。
【０００５】
【課題を解決するための手段】
前記目的を達成するため請求項１に係るプリンタ装置は、プリンタ装置を支持するための支持手段を備えた支持装置を有するプリンタ装置において、前記支持装置は、前記プリンタ装置を着脱自在に支持するとともに、角部に第１切り欠き部を備えた枠体と、前記プリンタ装置は角部に紐状部材を取り付けるための繋止部を備え、前記プリンタ装置の前記支持装置への装着時に、前記紐状部材が前記第１切り欠き部の切り欠き面との間に形成された間隙に配置されることを特徴とする。
【０００６】
このような特徴を有する請求項１に係るプリンタ装置によれば、支持装置の角部に第１切り欠き部を設けることで、支持装置の装着時にプリンタ装置の角部の繋止部に盗難防止用等のために取り付けられた紐状部材が、前記第１切り欠き部の切り欠き面との間に形成された間隙に配置されるので、紐状部材をプリンタ装置に取り付けた状態での支持装置の装着が容易となる。また、紐状部材を取り付け、且つ支持装置を装着した場合において、紐状部材は形成された間隙によって支持装置に干渉せずに自由に移動することができる。従って、プリンタ装置を支持装置に、より安定して支持することができ、また、紐状部材は支持装置を装着したことによっては動きが制限されないので、支持装置を装着した状態でのプリンタ装置の安全な使用、展示が可能である。
【０００７】
また、請求項２に係るプリンタ装置は、請求項１に記載のプリンタ装置において、前記枠体は前記プリンタ装置に当接する面に係合片を備え、前記プリンタ装置は側部に前記係合片に挿嵌することにより前記支持装置に支持される係合溝を備え、前記係合溝と同一直線状に前記繋止部が設けられることを特徴とする。
【０００８】
このような特徴を有する請求項２に係るプリンタ装置によれば、係合溝と同一直線状に繋止部が設けられることにより、繋止部が係合溝上に形成されるので、繋止部をプリンタ装置の他の場所に別途設ける場合に比べて、装置の見栄えがよくなる。
【０００９】
また、請求項３に係るプリンタ装置は、請求項１又は請求項２に記載のプリンタ装置において、前記枠体は、前記第１切り欠き部に隣接する位置に第２切り欠き部を備え、前記プリンタ装置は前記係合溝と同一直線状に複数の空気孔を備え、前記空気孔が前記支持装置の装着時に、前記第２切り欠き部の切り欠き面との間に間隙をもって対向することを特徴とする。
【００１０】
このような特徴を有する請求項３に係るプリンタ装置によれば、プリンタ装置内部に発生した熱を放熱するために係合溝上に設けられた空気孔は、第２切り欠き部の切り欠き面にとの間に間隙を持って対向することにより、支持装置を装着した際にも支持装置によって塞がれることがないので、支持装置を装着した状態においても放熱機能が損なわれることなく安全にプリンタ装置を使用することができる。また、空気孔は係合溝上に設けられているので、外部から目立たず、装置の見栄えがよくなる。
【００１１】
更に、請求項４に係るプリンタ装置は、請求項１乃至請求項３のいずれかに記載のプリンタ装置において、前記支持装置は、枠体の外面に装置され、プリンタ装置を立てた状態で支持するスタンド体を有することを特徴とする。
【００１２】
このような特徴を有する請求項４に係るプリンタ装置によれば、枠体の外面に装置されたスタンド体によって、プリンタ装置を支持装置によって立てた状態での使用及び展示を行うことができるので、より省スペースでのプリンタの使用及び展示が可能となる。
【００１３】
【発明の実施の形態】
次に、本発明を携帯用小型プリンタ装置に具体化した実施の形態について図面を参照しながら説明する。
まず、本発明に係る携帯用小型プリンタ装置１の概略構造について、図１〜図５を参照しながら説明する。携帯用小型プリンタ装置１は平面視Ａ６サイズ又はＡ７サイズ程度の大きさで厚みが略２ｃｍ程度あるいはそれ以下の上面開放箱型の本体ケース２を有し、その上面の片側には固定カバー体３を有する。この固定カバー体３の箇所を除く本体ケース２内には感熱紙からなるカットシート状の被記録媒体としての用紙４を複数枚収納した用紙カセット５（図３参照）が収容できる用紙収容部６が形成されている。前記固定カバー体３の下面側の近傍には、後に詳述する印刷機構部７としてのサーマルヘッド８、プラテンローラ９、ペーパーガイド１０及び用紙分離部としてのピックアップローラ１１及び分離ブロック１２等が配置されている。分離ブロック１２には、ピックアップローラ１１の用紙送り出し方向に対して傾斜した案内係止面１２１が形成されている。そして、前記用紙収容部６は、本体ケース２の側にて回動及びスライド可能な開閉支持手段１４を介して開閉可能な蓋体１３にて覆われる。また本体ケース２の側面には、係合溝５０が「コ」の字型に形成されている。携帯用小型プリンタ装置１は、係合溝５０が後述する支持装置５１に形成された係合片５９Ａ、５９Ｂ、５９Ｃ、５９Ｄと係合することによって支持装置５１に支持される（図１７参照）。更に、係合溝５０上にはサーマルヘッド８や駆動モータ２２を冷却するための複数個の空気孔５１と図示外のストラップや盗難防止用ワイヤ等を取り付けるための繋止孔５４が形成されている。
【００１４】
蓋体１３の回動支点は、図５（ａ）のロック位置と、図５（ｂ）のロック解除位置との間で本体ケース２の上面に沿ってスライド可能に設けられている。蓋体１３は回動支点がロック解除位置にあるときに上下に回動可能である。
【００１５】
前記サーマルヘッド８はラインヘッド型であり、プラテンローラ９との間に挟まれて搬送される感熱型の用紙４の搬送方向に直交する方向に延びるライン毎に文字や画像等を印刷することができる。１ライン印刷する際の印刷幅は用紙４の直交方向の用紙幅に略等しく設定されている。サーマルヘッド８及びプラテンローラ９は、Ａ６サイズ又はＡ７サイズ程度の用紙４の短辺方向の長さを有している。サーマルヘッド８を印刷ヘッドとして用いるのは、被記録媒体として感熱紙を用いることにより、インクやインクリボンの消耗品が不要であり、且つそのための機構を省略でき、携帯用小型プリンタ装置１をコンパクトにできるからである。
【００１６】
感熱紙としては、サーマルヘッド８の加熱により発色する発色層を有する感熱発色タイプのものや、加熱により穿孔される穿孔層を基材層上に積層した感熱穿孔タイプのもの等、種々のものを使用できる。
【００１７】
前記用紙収容部６のうち、前記印刷機構部７に近い側には、ピックアップローラ１１と分離ブロック１２とが配置されている（図５（ａ）及び図５（ｂ）参照）。前記用紙収容部６内に収容された用紙カセット５は、前記閉止した蓋体１３の本体内面側に設けた板バネ等の付勢手段１５を介して用紙収容部６の底板６Ａに向けて付勢される。用紙カセット５における積層した用紙４のうち、用紙カセット５外に露出した用紙４（最下層の用紙）がピックアップローラ１１の上面に当接付勢される。このピックアップローラ１１の回転駆動と分離ブロック１２の案内係止面１２１との協働により、前記最下層の用紙４のみが分離ブロック１２の下端とガイド板１７との隙間を通過する。該分離ブロック１２に隣接してプラテンローラ９が回転可能に設けられ、その外周面に押圧コイルバネ等の付勢手段１６によりペーパーガイド１０が付勢されている。ピックアップローラ１１と案内係止面１２１により、用紙カセット５から１枚だけ分離搬送された用紙４はプラテンローラ９とペーパーガイド１０との間に搬送される。ペーパーガイド１０は、その断面がプラテンローラ９の外周面に沿うように断面横向き略Ｕ字状等の凹湾曲状の摺接面１０Ａに形成されている。また、ペーパーガイド１０のサーマルヘッド８側の上面にはガイドフィルム２１が備え付けられている。ガイドフィルム２１は、その先端部によって用紙４をプラテンローラ９の周面に押圧することで、ペーパーガイド１０とプラテンローラ９の間で生じる用紙４のプラテンローラ９に対する浮きを防止している。
【００１８】
前記ペーパーガイド１０と、ガイドフィルム２１と、その上方に配置されて回動枢支部Ｐを中心にして回動可能に配置され、プラテンローラ９の上面の印字位置に接離可能なサーマルヘッド８の下面とにより、前記用紙収容部６から分離搬送された用紙４は横向きＵ字状に反転させて搬送され、プラテンローラ９の印字位置まで搬送される。サーマルヘッド８により用紙４の上面に印字され、前記分離ブロック１２の上面と前記固定カバー体３の端縁との隙間にある排紙口２０から蓋体１３の外側に排紙される構成である（図５（ａ）参照）。前記サーマルヘッド８はその背面（上面側）にコイルスプリング（付勢手段）１９のばね掛け部が係止され、プラテンローラ９側に付勢され、サーマルヘッド８の印字部（発熱体部８Ａ（図６参照））がプラテンローラ９の上面に当接する。
【００１９】
前記プラテンローラ９及びピックアップローラ１１の駆動機構は、本体ケース２の長辺に沿う一方の内側面（実施形態では図２に示す用紙４の搬送方向の右側）に配置された駆動モータ２２と歯車伝動機構（ギヤ列）２３とからなる。プラテンローラ９の直径がピックアップローラ１１の直径より大きく、プラテンローラ９の箇所の用紙搬送速度をピックアップローラ１１箇所での用紙搬送速度より大きく設定してピックアップローラ１１と分離ブロック１２との箇所での用紙分離をゆっくり行いプラテンローラ９による用紙搬送、ひいては印字速度を高速化している。そのために、プラテンローラ９箇所での高速搬送に対してピックアップローラ１１が連れ回り可能とするワンウエイクラッチ（図示せず）をギヤ列のプラテンローラ９より下流側に設けている。
【００２０】
次に、リリース連動機構（プラテンローラ９の外周に対するペーパーガイド１０及びサーマルヘッド８の同時押圧及び同時押圧解除機構）について説明する。このリリース連動機構は、プラテンローラ９の外周部分で用紙詰まりが発生した場合に、当該用紙４を簡単に除去するためのものである。
【００２１】
次に、図５（ａ）、図７及び図８（ａ）〜図８（ｃ）を参照しながらリリース連動機構における各部品の詳細について説明する。リリース連動機構の部品は、本体ケース２に往復移動可能に配置され、且つ前記付勢手段１６、１９の付勢力に抗して前記プラテンローラ９に対して前記ペーパーガイド１０及びサーマルヘッド８を離間させる離間位置と、前記付勢手段１６、１９の付勢力によりプラテンローラ９に対して前記ペーパーガイド１０及びサーマルヘッド８を付勢する付勢位置との間を切り換えられる作動手段１８であり、この作動手段１８は、後述するカム手段としての第１カム３６及び第２カム３７を備えた連動リンク体１３３と、そのカム手段を切り換え移動させるための被作用部としての作動部材２８とからなる。
【００２２】
本体ケース２の一対の長辺に沿う内面には、前記ペーパーガイド１０からプラテンローラ９が配置されている方向に長手の案内支持ブロック２４を固定する。この案内支持ブロック２４、後述する作動部材２８、連動リンク体１３３は、合成樹脂材にて対称形に形成されており、図７に示すのは右側の案内支持ブロック２４等の部品の斜視図である。
【００２３】
各案内支持ブロック２４の内側面のうち長手方向の中途部には、前記蓋体１３の自由端側の左右両側から下向きに突出するロック片２５が上下方向に挿通できる内向き開放状の縦案内溝２６が形成されている。また、前記各案内支持ブロック２４の外側面には、上下方向の中途部に長手方向に沿う横案内溝２７が凹み形成されており、この横案内溝２７には作動部材２８が前後方向（案内支持ブロック２４の長手方向）に移動自在に嵌合している。
【００２４】
各作動部材２８の外側には、その移動方向の一端寄り部位に、前記縦案内溝２６の間隔を隔てて前後一対の規制ブロック２９、３０が横向き突出されており、前記案内支持ブロック２４の内面には、前記一対の規制ブロック２９、３０が横向きに臨み、且つ所定距離だけ前記前後方向に移動可能とする抜き窓３１が穿設されている。
【００２５】
さらに、上向き先端部３２Ａが前記縦案内溝２６に嵌まる樹脂バネ体３２の基部３２Ｂは、案内支持ブロック２４の外面に凹み形成された係合部３３に嵌め入れられ、樹脂バネ体３２の基部３２Ｂと上向き先端部３２Ａとの連設部３２Ｃは案内支持ブロック２４の下方に位置している。なお、蓋体１３が後退位置で上方に回動して案内支持ブロック２４の縦案内溝２６から抜け出した状態（これを蓋体１３の開き位置という）では、前記作動部材２８における一対の規制ブロック２９、３０の間に前記縦案内溝２６が位置するので、樹脂バネ体３２の上向き先端部３２Ａが前記一対の規制ブロック２９、３０の間に上向きに突出して、作動部材２８の前後方向の移動を規制できる。従って、この樹脂バネ体３２の上向き先端部３２Ａが前記一対の規制ブロック２９、３０の間に嵌合することにより、前記蓋体１３の開き位置でリリース連動機構が不用意に前移動しないようにロック状態に保持できるロック手段となる。
【００２６】
他方、前記一方（後側）の規制ブロック３０の下面側には、後方に行くに従って上位置となる傾斜面３０Ａが形成されている。従って、作動部材２８を前方に移動させた状態（前記規制ブロック３０が縦案内溝２６の箇所まで移動した状態、これを蓋体１３の閉止位置という）では、前記傾斜面３０Ａに前記上向き先端部３２Ａが当接して、作動部材２８を前方移動方向に保持し、この構成により、リリース連動機構を不用意に後退させないようにロック位置に保持するロック手段となる。
【００２７】
前記作動部材２８の前端側には、前記プラテンローラ９の回動軸９Ａに対して回動可能に被嵌する連動リンク体１３３がピン３４及び縦長孔３５を介して回動可能に連結されている。連動リンク体１３３に縦長孔３５が形成され、作動部材２８にピン３４が形成されていても良い。
【００２８】
この連動リンク体１３３にはカム手段としての第１カム体３６と第２カム体３７とが一体的に形成されている。連動リンク体１３３の回動に応じて、第１カム体３６が前記ペーパーガイド１０の適宜前面に接離するとき同時に第２カム体３７が前記サーマルヘッド８の適宜下面に接離するように構成されている。
【００２９】
この構成により、図５（ｂ）に示すように、蓋体１３を開き、本体ケース２の用紙収容部６内に、開封した用紙カセット５を用紙４の面を下向きにしてセットした後、蓋体１３を下向き回動すると、当該蓋体１３の下面の板バネ製の付勢手段１５（図５（ａ）参照）により用紙カセット５を下向きに押圧するので、積層した用紙４の最下層面のうち先端側がピックアップローラ１１の上に押圧される。
【００３０】
そして、蓋体１３を不用意に開かないようにするための動作（蓋体１３を下向き回動させて本体ケース２の開口面と平行状に図５（ａ）の状態まで前進移動）に連動して下記のようにプラテンローラ９の外周面にペーパーガイド１０及びペーパーガイド１０に取り付けられたガイドフィルム２１を押圧すると共にサーマルヘッド８も押圧状態とするものである。即ち、蓋体１３の左右両側には、前記作動部材２８を前記離間位置と付勢位置とに切り換えるべく係合可能な作用部としてのロック片２５が前記案内支持ブロック２４の縦案内溝２６の上方から下向きに嵌合するように設けられている。図８（ｂ）に示す位置、即ち、作動部材２８の一対の規制ブロック２９、３０の間にロック片２５が侵入するとき、ロック片２５にて前記樹脂バネ体３２の上向き先端部３２Ａが縦案内溝２６の下方退避領域に押され、作動部材２８の前方向（図５（ｂ）、図８（ａ）の方向）への移動を許容する。この状態（蓋体１３の開き可能位置）で蓋体１３を固定カバー体３方向に接近移動（前進）させると、前記ロック片２５が前方の規制ブロック２９を介して作動部材２８を前方に押す。この動作により、前記ロック片２５は縦案内溝２６から前方に移動して案内支持ブロック２４における抜き窓３１の前寄り位置に来るので上向きに移動できず、蓋体１３は開き回動不能となる（図８（ａ）参照）。即ち、蓋体１３は閉止位置となるのである。そして、作動部材２８の前進位置（蓋体１３の閉止位置）では、後側の規制ブロック３０における下面の傾斜面３０Ａに前記樹脂バネ体３２の上向き先端部３２Ａが当接して、この樹脂バネ体３２の付勢力により、作動部材２８が不用意に後退移動するのを防止できるのである。
【００３１】
蓋体１３の閉止状態（閉止位置）（図５（ａ）及び図８（ａ）の状態で、蓋体１３の回動支点がロック位置にある場合）では、ロック片２５を介して前方の規制ブロック２９を押すので、作動部材２８は前進し、これに連結された連動リンク体１３３を図８（ａ）に示すように時計方向に回動させる。そうすると、連動リンク体１３３に設けられている第１カム体３６はペーパーガイド１０の前面から離れる方向に回動するので、当該ペーパーガイド１０は裏面側の付勢手段１６の付勢力にてプラテンローラ９の外周面に当接する方向に付勢移動する。また、これと同時に前記連動リンク体１３３に設けられた第２カム体３７はサーマルヘッド８の下面から離れる方向に回動する。これにより、付勢手段１９の付勢力にてサーマルヘッド８の発熱体部８Ａがプラテンローラ９の上面に押圧されるようになる。この状態を付勢位置とする。このため、第１カム体３６、連動リンク体１３３、作動部材２８は図８（ａ）の状態にロックされることになる。
【００３２】
そして、図示しないパソコン等からＵＳＢ端子や赤外線端子を介して印字指令及び画像データ（印刷データ）を携帯用小型プリンタ装置１に送ると、駆動モータ２２（図６参照）が回転駆動し、ピックアップローラ１１とプラテンローラ９は同時に回転し始める。ピックアップローラ１１の回転により、前記積層された用紙４のうち最下層の用紙４の先端４１が（図３参照）、分離ブロック１２に衝突して最下層の用紙４のみが分離されて、分離ブロック１２の下面とガイド板１７との間に搬送される。次いで、プラテンローラ９とペーパーガイド１０との間に挟持された用紙４は、回転するプラテンローラ９とペーパーガイド１０にて挟持搬送されてサーマルヘッド８方向に移動する。更に、ペーパーガイド１０とサーマルヘッド８との間で用紙４がプラテンローラ９に対して浮き上がらないように、ガイドフィルム２１の先端部によって用紙４がプラテンローラ９に押圧される。用紙４の表面に印字された後、固体カバー体３と前記分離ブロック１２の背面との隙間にある排紙口２０から携帯用小型プリンタ装置１外に排紙できるのである。
【００３３】
次に、紙ジャムが発生した場合に、前記サーマルヘッド８とペーパーガイド１０とを連動してリリースする動作について、図８（ａ）〜図８（ｃ）を参照しながら説明する。本実施形態では、蓋体１３の開き動作に連動するものである。まず、蓋体１３を開くに際して、本体ケース２の上面と平行状の蓋体１３を固定カバー体３から離れる方向に水平移動（後退）させ、蓋体１３の回動支点をロック解除位置に移動させる。
【００３４】
図８（ａ）から図８（ｂ）に示すように、蓋体１３を後退させると、当該蓋体１３の左右両側のロック片２５、２５が各作動部材２８の前後一対の規制ブロック２９、３０の間に嵌まっているので、作動部材２８を付勢手段１６、１９の付勢力に抗して強制的に後退させる。この時、樹脂バネ体３２の付勢力にも抗して移動されるが、付勢手段１６、１９の付勢力の方が大きい。
【００３５】
作動部材２８の後退位置では、縦案内溝２６の下方後退領域に退避した樹脂バネ体３２の上向き先端部３２Ａが、弾性力により前記一対の規制ブロック２９、３０の間に下方から係合し、作動部材２８の後退位置を保持することができる（図８（ｃ）参照）。また、蓋体１３を上方に回動させて用紙カセット５を交換することもできる。
【００３６】
この作動部材２８の後退移動に伴って、当該作動部材２８に対してピン３４及び縦長孔３５を介して連結された連動リンク体１３３はプラテンローラ９の軸９Ａ回りにて図８（ｂ）において反時計回り回動する。この連動リンク体１３３に設けられた第１カム体３６は付勢手段１６の付勢力に抗してペーパーガイド１０の前面を押してプラテンローラ９の外周面から離す。それと同時に第２カム体３７が付勢手段１９の付勢力に抗してサーマルヘッド８の下面を上向きに押し上げ、サーマルヘッド８の発熱体部８Ａがプラテンローラ９の外周面から離れるのである（図８（ｂ）参照）。この状態が離間位置である。これにより、プラテンローラ９の外周に巻き付いている用紙４は軽い力で携帯用小型プリンタ装置１の外に引き出すことができるのである。そして、ワンタッチでサーマルヘッド８とペーパーガイド１０とガイドフィルム２１とをプラテンローラ９に対して接離可能であるので、操作性に優れたものとなる。
【００３７】
ここで、作動部材２８は後退位置に樹脂バネ体３２により移動不能にロックされているが、この樹脂バネ体３２は削除可能である。リリース連動機構を蓋体１３の開き位置と閉止位置とでロック状態に保持するロック手段としては、樹脂バネ体３２、第１、第２カム体３６、３７、付勢手段１６、１９が相当するが、ロック手段を、蓋体１３が開き位置にあるとき、または閉止位置にあるときのいずれか一方でロック状態に保持するように変更することも可能である。
【００３８】
なお、前記ピックアップローラ１１の支持軸１１Ａの両端を、前記左右両側の案内支持ブロック２４の軸孔２４Ａ（図７参照）に回転可能に軸支することにより、部品点数の削除を図ることができる。また、前記ペーパーガイド１０の長手方向の略中央部（用紙４の搬送方向と直交する幅方向の略中央部に該当）には、図示しないが、搬送されてくる用紙４の先端縁を検知するための光センサを設けることにより、用紙カセット５からピックアップローラ１１にて分離搬送される用紙４が斜行状態でペーパーガイド１０の箇所に送られて来たことを感知して、紙ジャムが発生するのを未然に防止できるようにすることが望ましい。
【００３９】
前記において、蓋体１３の閉止状態において、作動部材２８ひいてはリリース連動機構が不用意に後退しない状態に保持するロック手段の変形例として、前記第１カム体３６がペーパーガイド１０の当接面から離れるとき、プラテンローラ９とペーパーガイド１０の当接位置と前記プラテンローラ９の軸９Ａの軸線とを結ぶ作用線を越えるように、第１カム体３６が回動することにより、いわゆる支点越えとなり、作動部材２８が前進した位置を保持できるように構成すればよい。
【００４０】
前記蓋体１３の開き位置または閉止位置の双方の位置で前記リリース連動機構をロック状態に保持するロック手段として、前述の作動部材２８における一対の規制ブロック２９、３０と、樹脂バネ体３２との嵌合及び樹脂バネ体３２における上向き先端部３２Ａが後位置の規制ブロック３０の傾斜面３０Ａに押圧する手段や前記第１カム体３６のペーパーガイド１０に対する当接位置と離間位置の範囲の回動動作がある。また、蓋体１３の開き位置または閉止位置のいずれか一方のみのロック手段としては、前記の構成のいずれか１つを採用すれば良い。リリース連動機構とロック手段とが前記作動部材２８や連動リンク体１３３に関連させて形成されて、兼用されていることにより、構造が至極コンパクトにできるという効果を奏する。
【００４１】
尚、上記リリース機構は上記実施の形態に限定されるものでなく、その趣旨を逸脱しない範囲で様々な変更が可能である。
例えば、図９は、前記リリース連動機構のその他の実施形態を示す断面図である。  この点、回動部材の一例としての側面視Ｔ型等の操作レバー４０は、その下部の水平回動支軸４１を中心に回動するように構成されている。操作レバー４０の水平アーム４０Ａの一方の下面にはサーマルヘッド８が固定され、操作レバー４０を図示しない捩じりバネ等の付勢手段により、サーマルヘッド８の発熱体部８Ａが常時プラテンローラ９の上面に押圧するように構成されている。また、前記水平回動支軸４１の外周には操作レバー４０と一体的に回動するカム手段４２が本体ケース２の左右両側部位に一対設けられ、用紙４の幅方向に長いペーパーガイド４３の背面側に形成された当接部４４と対峙するように配置されている。なお、ペーパーガイド４３は付勢手段１６にて常時プラテンローラ９の外周面に押圧されるように付勢されている。
【００４２】
前記操作レバー４０の他のアーム部の上面の押しボタン部４５は固定カバー体３に穿設した操作孔４６から外に突出している。この構成によれば、紙ジャムが発生した時、前記押しボタン部４５を押し込むと操作レバー４０は図９において時計方向に回動し、サーマルヘッド８の発熱体部８Ａがプラテンローラ９の上面から離れると同時に、前記カム手段４２を介して当接部４４を押してペーパーガイド４３を付勢手段１６の付勢力に抗して後退させ、プラテンローラ９の外周から離すことができるから、プラテンローラ９の外周に巻き付いている用紙４を至極簡単に外せるのである。
【００４３】
なお、蓋体１３の自由端縁に用紙４の搬送方向と直交する幅方向の略中央部等に１乃至複数の係合爪３８を前記搬送方向に延びるように設ける一方、前記分離ブロック１２には、蓋体１３が本体ケース２の上面と平行状にして分離ブロック１２方向に前進させたとき係止する係止溝３９を設けておけば（図５（ｂ）及び図６（ａ）参照）、蓋体１３が薄肉で撓み易いものであっても、当該蓋体１３の自由端をしっかりと本体ケース２に閉止固定できる。
【００４４】
次に、本体ケース２に設けられた繋止孔５４及び空気孔５１について、図面を用いて詳細に説明する。図１０は、携帯用小型プリンタ装置を示す平面図であって、繋止孔及び空気孔を一部断面図により詳細に示したものである。また、図１１は、携帯用小型プリンタ装置を示す側面図である。また、図１２は、携帯用小型プリンタ装置を示す背面図である。また、図１３は、携帯用小型プリンタ装置を示す正面図である。また、図１４は、携帯用小型プリンタ装置を示す側面図であって、図１１の側面図とは反対側を示したものである。
【００４５】
図１１乃至図１４に示すように、本体ケース２の側面には、係合溝５０と係合溝５０上に配置された空気孔５３及び繋止孔５４が設けられている。係合溝５０はサーマルヘッド８及び駆動モータ２２が設けられた固定カバー体３側の本体ケース２の側部において凹状の「コ」の字型に形成されている。この係合溝５０に後述する支持装置５１に設けられた係合片５９Ａ、５９Ｂ、５９Ｃ、５９Ｄを挿入することで、携帯用小型プリンタ装置１は支持装置５１により支持される（図１７参照）。
【００４６】
また、係合溝５０の内部には空気孔５３が複数形成されている。空気孔５３は長方形状をしており、一定間隔にて規則的に配列されている。図１０の断面図に示すように空気孔５３は本体ケース２の外壁を貫通するように形成されており、空気孔５３を通して固定カバー体３内の空気と装置外部の空気とを循環させることにより、サーマルヘッド８及び駆動モータ２２の熱を外部に放出することができる。また、空気孔５３は係合溝５０内部に形成されているので、外観上、見栄えを損なうことなく放熱が可能である。
【００４７】
また、本体ケース２における図１０中の右下角部分には、ストラップや盗難防止用のワイヤ等を繋ぐ為の繋止孔５４が設けられている。繋止孔５４は係合溝５０上に配置され、２箇所の孔により形成されている。ワイヤ６２を繋止孔５４に繋ぐ際には、ワイヤ６２を一方の孔から他方の孔へ通すことによって、繋止板５４Ａによって繋ぎ止められる。それによって、ワイヤ６２は本体ケース２に取り付けられる（図１９参照）。
【００４８】
次に、本発明に係る携帯用小型プリンタ装置の支持装置５１の構成について図１５及び図１６に基づいて説明する。図１５は支持装置の全体構成を表わす斜視図である。また、図１６はその側面図である。
支持装置５１は、図１に示す携帯用小型プリンタ装置１をその前面（蓋体１３側）が開放状態で着脱自在に支持できる枠体５５と、枠体５５の左右両側の外面に回動可能に支持されたスタンド体５６と、同じく回動可能に支持された左右一対の吊支体５７とにより構成されている。
【００４９】
合成樹脂製等の枠体５５は、背面板５５Ａと、底板５５Ｂと、左右両側板５５Ｃとが一体的に形成されており、左右両側板５５Ｃ、５５Ｄ間の寸法が、携帯用小型プリンタ装置１の本体ケース２の短辺（用紙４幅方向）寸法とほぼ等しくなるように設定し、枠体５５内に収容した携帯用小型プリンタ装置１が左右にずれないように構成されている。また、背面板５５Ａ及び左右両側板５５Ｃ、５５Ｄが本体ケース２の長辺方向に沿う寸法は本体ケース２自体の長辺方向寸法より短く設定されている。側板５５Ｃ、５５Ｄの内側には係合片５９Ａ、５９Ｂ、５９Ｃ、５９Ｄがそれぞれ形成されている。携帯用小型プリンタ装置１を支持装置５１に装着する際には各係合片を係合溝５０に挿入させることによって、携帯用小型プリンタ装置１は支持装置５１に支持される。
また、図１５の右側にあたる側板５５Ｃの角部には第１切り欠き部５５Ｅが形成され、更に第１切り欠き部５５Ｅが形成されたことによって側板５５Ｃの断面には第１切り欠き面５５Ｆが形成される。第１切り欠き部５５Ｅを設けることによって、後述するように携帯用小型プリンタ装置１を支持装置５１に装着した際に、繋止孔５４が枠体５５によって塞がれることを防止することができる（図１８参照）。更に、図１５の下側にあたる底板５５Ｂの中央部には第１切り欠き部５５Ｅに隣接して第２切り欠き部５５Ｇが形成され、第２切り欠き部５５Ｇが形成されたことによって底板の５５Ｂ断面には第２切り欠き面５５Ｈが形成される。第２切り欠き部５５Ｇを設けることによって、同様に携帯用小型プリンタ装置１を支持装置５１に装着した際に、空気孔５３が枠体５５によって塞がれることを防止することができる（図１９参照）。
【００５０】
また、スタンド体５６は、平面視で略コ字状に屈曲形成された棒状体にて構成され、その中途片５６Ａが底板５５Ｂと平行状であり、中途片５６Ａの左右両側にて屈曲した側片５６Ｂは、左右両側板５５Ｃの外面に配置され、その基端部が前記左右両側板５５Ｃの外面であって開放側（底板５５Ｂの配置側から遠い側）に対して回動可能に枢着されている。吊支体５７の外面に突設した突起５８にスタンド体５６の側片５６Ｂが当接することにより、枠体５５に対するスタンド体５６の開き角度が一定以上にならないように規制している。
【００５１】
一対の吊支体５７はスタンド体５６の左右両側片５６Ｂより外側にて回動可能に枢着されている。そして、両吊支体５７先端には他の物品（例えばノート型パソコン）のカバー体に係止できる下向き爪部６０を備えている。また、使用しない場合には、枠体５５の左右両側板５５Ｃの外面に突設した突起６１に吊支体５７の側部が当接することにより、吊支体５７を常に定位置で収納することが可能となる。
【００５２】
この構成により、図１７に示すように、枠体５５内に携帯用小型プリンタ装置１をその蓋体１３が前方に向いた縦長状態で収容し、スタンド体５６の中途片５６Ａを枠体５５の底板５５Ｂより背面側に離間させて立設させることができる。図１７は携帯用小型プリンタ装置１を支持装置５１に収納し、立設させた携帯用小型プリンタ装置１及び支持装置５１の全体図を示す斜視図である。また、図１８は携帯用小型プリンタ装置１を支持装置５１に収納した状態における携帯用小型プリンタ装置１及び支持装置５１の全体図を示す側面図、図１９はその正面図である。
【００５３】
図１７乃至図１９に示すように、携帯用小型プリンタ装置１を支持装置５１に装着した状態において、繋止孔５４は、第１切り欠き部５５Ｅによって側板５５Ｃの断面に形成された第１切り欠き面５５Ｆとの間で間隙６３が形成される。従って、繋止孔５４に取り付けられたワイヤ６２は形成された間隙６３に置かれることになるので、側板５５Ｃによってワイヤ６２の動きが制限されることはなく、自由に動かすことが可能となる。
また、空気孔５３のうち枠体下面５５Ｂに当接する面に設けられた空気孔５３については、第２切り欠き部５５Ｇによって底板５５Ｂの断面に形成された第２切り欠き面５５Ｈとの間で間隙６４が形成されることで、空気孔５３は枠体５５により塞がれないので、サーマルヘッド８及び駆動モータ２２に発生する熱を放熱することが可能となる。
【００５４】
以上にて説明したとおり本実施形態に係る携帯用小型プリンタ装置１では、携帯用小型プリンタ装置１に装着することにより装置を支持する支持装置５１の枠体５１の側板５５Ｃに第１切り欠き部５５Ｅを形成するとともに、底板５５Ｂに第２切り欠き部５５Ｇを形成することによって、支持装置５１を装着した際に、第１切り欠き部５５Ｅによって形成された第１切り欠き面５５Ｆと繋止孔５４の間と、第２切り欠き面５５Ｇによって形成された第２切り欠き面５５Ｈと空気孔５３との間にそれぞれ間隙が形成されるので、携帯用小型プリンタ装置１に盗難防止用等の為のワイヤ６２を取り付けた状態であっても、支持装置５１の装着が容易に可能である。また、ワイヤ６２を取り付け、且つ支持装置５１を装着した状態であっても、ワイヤ６２は支持装置５１に干渉されることなく自由に動くことができるので、携帯用小型プリンタ装置１を支持装置５１を装着した状態で安全に使用、展示することが可能である。更に、本体ケース２に設けられた空気孔５３は支持装置５１を取り付けた際に、枠体５５によって塞がれることがないので、支持装置５１を装着した状態でのサーマルヘッド８及び駆動モータ２２の冷却を行うことが可能である。
【００５５】
【発明の効果】
以上説明した通り、請求項１に記載の発明によれば、支持装置の角部に第１切り欠き部を設けることで、支持装置の装着時にプリンタ装置の角部の繋止部に盗難防止用等のために取り付けられた紐状部材が、前記第１切り欠き部の切り欠き面との間に形成された間隙に配置されるので、紐状部材をプリンタ装置に取り付けた状態での支持装置の装着が容易となる。また、紐状部材を取り付け、且つ支持装置を装着した場合において、紐状部材は形成された間隙によって支持装置に干渉せずに自由に移動することができる。従って、プリンタ装置を支持装置に、より安定して支持することができ、また、紐状部材は支持装置を装着したことによっては動きが制限されないので、支持装置を装着した状態でのプリンタ装置の安全な使用、展示が可能である。
【００５６】
また、請求項２に記載の発明によれば、係合溝と同一直線状に繋止部が設けられることにより、繋止部が係合溝上に形成されるので、繋止部をプリンタ装置の他の場所に別途設ける場合に比べて、装置の見栄えがよくなる。
【００５７】
また、請求項３に記載の発明によれば、プリンタ装置内部に発生した熱を放熱するために係合溝上に設けられた空気孔は、第２切り欠き部の切り欠き面にとの間に間隙を持って対向することにより、支持装置を装着した際にも支持装置によって塞がれることがないので、支持装置を装着した状態においても放熱機能が損なわれることなく安全にプリンタ装置を使用することができる。また、空気孔は係合溝上に設けられているので、外部から目立たず、装置の見栄えがよくなる。
【００５８】
更に、請求項４に記載の発明によれば、枠体の外面に装置されたスタンド体によって、プリンタ装置を支持装置によって立てた状態での使用及び展示を行うことができるので、より省スペースでのプリンタの使用及び展示が可能となる。
【図面の簡単な説明】
【図１】携帯用小型プリンタ装置の外観を示す斜視図である。
【図２】本体ケースの概略平面図である。
【図３】用紙カセットの斜視図である。
【図４】本体ケースにおけるピックアップローラ部の斜視図である。
【図５】（ａ）は携帯用小型プリンタ装置の側断面図、（ｂ）は蓋体を開いた状態の本体ケースの左側部位の断面図である。
【図６】（ａ）は印刷機構部の拡大側面図、（ｂ）は歯車伝動機構の側面図である。
【図７】リリース連動機構の部品の展開斜視図である。
【図８】（ａ）は蓋体の閉止状態でプラテンローラにペーパーガイド及びサーマルヘッドが押圧している状態の断面図、（ｂ）は蓋体の後退位置でペーパーガイド及びサーマルヘッドのリリース状態を示す断面図、（ｃ）は蓋体の回動可能状態を示す断面図である。
【図９】リリース連動機構のその他の実施形態を示す断面図である。
【図１０】本願の携帯用小型プリンタ装置の外観を示す平面図である。
【図１１】本願の携帯用小型プリンタ装置の外観を示す側面図である。
【図１２】本願の携帯用小型プリンタ装置の外観を示す背面図である。
【図１３】本願の携帯用小型プリンタ装置の外観を示す正面図である。
【図１４】本願の携帯用小型プリンタ装置の外観を示す側面図である。
【図１５】本願の携帯用小型プリンタ装置を支持する支持装置の斜視図である。
【図１６】本願の携帯用小型プリンタ装置を支持する支持装置の側面図である。
【図１７】本願の携帯用小型プリンタ装置を支持装置により支持した状態におけるプリンタ装置と支持装置の斜視図である。
【図１８】本願の携帯用小型プリンタ装置を支持装置により支持した状態におけるプリンタ装置と支持装置の側面図である。
【図１９】本願の携帯用小型プリンタ装置を支持装置により支持した状態におけるプリンタ装置と支持装置の正面図である
【符号の説明】
１                              携帯用小型プリンタ装置
５０                              係合溝
５１                              支持装置
５３                              空気孔
５４                              繋止孔
５５                              枠体
５５Ｅ                            第１切り欠き部
５５Ｆ                            第１切り欠き面
５５Ｇ                            第２切り欠き部
５５Ｈ                            第２切り欠き面
５６                              スタンド体
５９Ａ、５９Ｂ、５９Ｃ、５９Ｄ    係合片
６２                              ワイヤ
６３、６４                        間隙
【図１】
2005028596.tif 000003
【図２】
2005028596.tif 000004
【図３】
2005028596.tif 000005
【図４】
2005028596.tif 000006
【図５】
2005028596.tif 000007
【図６】
2005028596.tif 000008
【図７】
2005028596.tif 000009
【図８】
2005028596.tif 000010
【図９】
2005028596.tif 000011
【図１０】
2005028596.tif 000012
【図１１】
2005028596.tif 000013
【図１２】
2005028596.tif 000014
【図１３】
2005028596.tif 000015
【図１４】
2005028596.tif 000016
【図１５】
2005028596.tif 000017
【図１６】
2005028596.tif 000018
【図１７】
2005028596.tif 000019
【図１８】
2005028596.tif 000020
【図１９】
2005028596.tif 000021